(57)【要約】      （修正有）【課題】本発明は、杖の使用者の使用状況、使用状態に応じて、各杖先接地体を自在に取り替えて柔軟に対応して使用でき安定感のある使用状態を得られるとともに、杖先の接地体が緩みにくく、滑りにくく、衝撃吸収性に優れ接地感も良好で、杖先部分が石畳み等の隙間には嵌り込むこともなく、杖全体の長短の調整可能で、接地面の傾きの影響を抑制することが可能な杖先を具備し、高齢者等の歩行安定性を確保でき、リハビリテーション用としても好適である杖先を提供する。【解決手段】本発明の杖先２１は、杖本体に取り付けられるとともに、中心部から外方に向かって放射分散形態の各片を具備する杖先保持体７と、杖先保持体の各片８の下端側に各々座金を介在させネジ結合により着脱可能に装着した硬度材・軟度材の弾性体仕様の各種組み合わせ或いは大・小の各種組み合わせからなる複数個構成で接地面に当接させる杖先接地体１０とを有するものである。【選択図】図２
2019071982.tif 000002
【特許請求の範囲】
【請求項１】
杖本体に取り付けられるとともに、中心部から外方に向かって放射分散形態の各片を具備する杖先保持体と、
前記杖先保持体の各片の下端側に各々座金を介在させネジ結合により着脱可能に装着した硬度材・軟度材の弾性体仕様の各種組み合わせ或いは大・小の各種組み合わせからなる複数個構成で接地面に当接させる杖先接地体と、
を有することを特徴とする杖先。
【請求項２】
前記杖先保持体の各片は、３片以上の複数片であり、
前記杖先接地体は、前記杖先保持体の各片の個数に対応する個数であることを特徴とする請求項１に記載の杖先。
【請求項３】
前記杖先保持体の各片の下端側と杖先接地体との間に介在させる座金は、その内周部に前記杖先接地体が緩み方向の変位に対して抵抗力を付与する傾斜形状の突片群を備えることを特徴とする請求項１又は２に記載の杖先。
【請求項４】
前記杖先は、一本杖形態、多脚状形態、ロフストランド形態、折り畳み形態、松葉杖形態のいずれかの形態を構成する杖用として用いられることを特徴とする請求項１乃至３のいずれか１項に記載の杖先。
【請求項５】
上端部に握り部を配置し、上部側に装飾ストラップを取り付けするとともに、長さ方向外周全体に装飾部を具備する上部棒状体と、前記上部棒状部に対して上端側を着脱可能に、かつ、長短調整可能に装着し一体化される下部棒状体と、を具備する杖本体と、
前記下部棒状体の下端側に固着した中心部から外方に向かって放射分散形態の各片を具備する杖先保持体と、
前記杖先保持体の各片の下端側に各々座金を介在させネジ結合により着脱可能に装着した硬度材・軟度材の弾性体仕様の各種組み合わせ或いは大・小の各種組み合わせからなる複数個構成で接地面に当接させる杖先接地体と、
を有することを特徴とする杖。
【請求項６】
前記杖先保持体の各片は、３片以上の複数片であり、
前記杖先接地体は、前記杖先保持体の各片の個数に対応する個数であることを特徴とする請求項５に記載の杖。
【請求項７】
前記杖先保持体の各片の下端側と杖先接地体との間に介在させる座金は、その内周部に前記杖先接地体が緩み方向の変位に対して抵抗力を付与する傾斜形状の突片群を備えることを特徴とする請求項５又は６に記載の杖。
【請求項８】
前記装飾ストラップ及び前記上部棒状部の外周の装飾部は、サヤ型地に花唐草紋様、サヤ型地に花唐草紋様、鹿の子流水に小桜、波文に流水小桜、正絹錦松葉小紋、袴地縞等を施した京西陣、京友禅の着物の各生地から選定される生地を用いて形成していることを特徴とする請求項５乃至７のいずれか１項に記載の杖。
【請求項９】
前記杖本体は、一本杖形態、多脚状形態、ロフストランド形態、折り畳み形態、松葉杖形態のいずれかの形態を構成するものであることを特徴とする請求項５乃至８のいずれか１項に記載の杖。
【発明の詳細な説明】
【技術分野】
【０００１】
本発明は、杖先及び杖に関し、詳しくは、杖の使用者の使用状況、使用状態に対応、例えば、杖使用者に障害がある場合にはその障害状態に応じて、更には杖使用者が怪我をしているような場合には怪我の状態に応じて、適時に、硬・軟材でもって形成され或いは大・小サイズに形成された各杖先接地体を自在に取り替えて柔軟に対応して使用でき安定感のある使用状態を得られるとともに、杖先の接地体が緩みにくく、滑りにくく、接地体が地面等に接触させた場合の衝撃吸収性に優れ接地感も良好で、杖先部分が石畳み等の隙間には嵌り込むこともなく、また、接地面に傾きがあってもその傾きの影響を抑制することが可能な杖先を具備し、杖全体の長短の調整可能で、更に、使用に際して格別の優雅性、特異性を味わうことが可能で、高齢者等の歩行安定性を確保でき、リハビリテーション用としても好適である杖先及び杖に関するものである。
【背景技術】
【０００２】
一般に、足腰が衰えた高齢者や腕の力、握力が弱い高齢者、更には歩行障害者、リハビリテーション患者等は、歩行する際に歩行補助のために各種構造の内から選定した杖を使用する。
【０００３】
歩行補助のために杖を用いることで、高齢者等は歩行時において足腰にかかる負担を軽減することができ、かつ、歩行の際の身体バランスもとり易くなる。
【０００４】
そして、この種の杖としては、例えば、アルミニウム等々の軽合金製の一本杖（Ｔ字杖）、多脚杖（四点杖）、ロフストランド杖（Ｆ字杖）、松葉杖（腋窩支持クラッチ）等が使用されている。
【０００５】
構造的には、例えば、棒状の杖本体の下端部に配置する杖先の部分にゴム材等からなる弾性部材（先ゴム）を取り付け、この弾性部材を地面に接触させ衝撃を緩衝させるようにしたものが一般的である。
【０００６】
しかしながら、このような構造を有する杖の場合、杖先を構成する弾性部材が通常小径又は小サイズであるため、杖先を支点として棒状の杖本体の上部を握った手首部分からモーメーント力を作用させつつ歩行する際に、腕力や握力の弱い高齢者等の場合、雨天時等のような道路条件の悪いときにはどうしても滑りやすく、また、杖先が例えば石畳構造の路面の隙間に挟まってしまったりして、歩行の安定性に欠けるという諸問題を包含している。
【０００７】
このような歩行不安定性の問題を解消するために、病院等においては、例えば下半身麻痺、下肢切断、肩麻痺等の症状がある歩行者のために四点杖、ロフストランド杖等による歩行を実行させるようにしている。
【０００８】
しかし、例えば四点杖の場合、四つの接地脚の下端部分に弾性部材が取り付けられていることから、四点杖全体を地面に対して真上に持ち上げ、そのまま下降させて四つの接地脚を地面に接触させつつ歩行動作をおこなわなければ歩行安定性を得ることは難しく、腕力や握力の弱い高齢者等にとっては極めて使用しづらく、不便であるという問題を包含している。
【０００９】
特許文献１には、金属板等のある程度剛性を有する平板材と、その下面側に貼着したゴム等からなるクッション兼用の滑り止め部材と、平板材の中央部から上方へ突出形成した軸部材とを具備する石突き（杖先）を備え、前記軸部材を自在継ぎ手、コイルスプリング、カバー筒体を用いて杖本体を構成するフィットピースの下端に連結した構成からなる杖が提案されている。
【００１０】
しかし、特許文献１の杖における石突きの場合、石突きを構成する平板材は、フットピースの断面積よりも広い適当な面積を有するものの、その形状も通常の円板状のもので歩行安定性も必ずしも十分ではないと推定され、杖本体を構成するフットピースの下端に対する石突きの着脱構造も複雑で着脱容易ではなく、更にはリハビリテーション時の石突き交換使用の点を配慮したものではないと推定される。
【先行技術文献】
【特許文献】
【００１１】
【特許文献１】登録実用新案第３１３１８７４号公報
【発明の概要】
【発明が解決しようとする課題】
【００１２】
本発明は、上記従来の実情に鑑み開発されたものであり、杖の使用者の使用状況、使用状態に対応、例えば、杖使用者に障害がある場合にはその障害状態に応じて、更には杖使用者が怪我をしているような場合には怪我の状態に応じて（例えば、複数の杖先の内、強く力・押圧が加わるような部位の杖先部分を硬質材からなる杖先に取り替え、また、弱い力・押圧しか加わらないような部位の杖先部分は柔軟材からなる杖先に取り替えたりして）、適時に、硬・軟材でもって形成され或いは大・小サイズに形成された各杖先接地体を自在に取り替えて柔軟に対応して使用でき安定感のある使用状態を得られるとともに、杖先の接地体が緩みにくく、滑りにくく、接地体が地面等に接触させた場合の衝撃吸収性に優れ接地感も良好で、杖先部分が石畳み等の隙間には嵌り込むこともなく、また、接地面に傾きがあってもその傾きの影響を抑制することが可能な杖先を具備し、杖全体の長短の調整可能で、更に、使用に際して格別の優雅性、特異性を味わうことが可能で、高齢者等の歩行安定性を確保でき、リハビリテーション用としても好適である杖を提供するものである。
【課題を解決するための手段】
【００１３】
本発明の杖先は、杖本体に取り付けられるとともに、中心部から外方に向かって放射分散形態の各片を具備する杖先保持体と、前記杖先保持体の各片の下端側に各々座金を介在させネジ結合により着脱可能に装着した硬度材・軟度材の弾性体仕様の各種組み合わせ或いは大・小の各種組み合わせからなる複数個構成で接地面に当接させる杖先接地体と、を有することを最も主要な特徴とする。
【発明の効果】
【００１４】
請求項１記載の発明によれば、硬度材・軟度材の弾性体仕様の各種組み合わせ或いは大・小の各種組み合わせからなる複数個構成の杖先接地体の自在な組み合わせによって、杖の使用者の使用状況、使用状態に対応、例えば、杖使用者に障害がある場合にはその障害状態に応じて、更には杖使用者が怪我をしているような場合には怪我の状態に応じて（例えば、複数の杖先接地体の内、強く力・押圧が加わるような部位の杖先部分を硬質材からなる杖先接地体に取り替え、また、弱い力・押圧しか加わらないような部位の杖先部分は柔軟材からなる杖先接地体に取り替えたりして）、適時に、硬・軟材でもって形成され或いは大・小サイズに形成された各杖先接地体を自在に取り替えて柔軟に対応して使用でき安定感のある使用状態を得られるとともに、杖先の接地体が緩みにくく、滑りにくく、接地体が地面等に接触させた場合の衝撃吸収性に優れ接地感も良好で、杖先部分が石畳み等の隙間には嵌り込むこともなく、また、接地面に傾きがあってもその傾きの影響を抑制することが可能な杖先を実現し提供することができる。
【００１５】
請求項２記載の発明によれば、杖先保持体の各片は、３片以上の複数片とし、杖先接地体は前記杖先保持体の各片の個数に対応する個数として、形態の多様化を図りつつ請求項１記載の発明と同様な効果を奏する杖先を実現し提供することができる。
【００１６】
請求項３記載の発明によれば、請求項１又は２に記載の発明において、前記杖先保持体の各片の下端側と杖先接地体との間に介在させる座金は、その内周部に前記杖先接地体が緩み方向の変位に対して抵抗力を付与する傾斜形状の突片群を備える構成としたことにより、請求項１又は２に記載の発明と同様な効果を奏し、かつ、杖先接地体の緩み防止効果も発揮させることができる杖先を実現し提供することができる。
【００１７】
請求項４記載の発明によれば、請求項１乃至３のいずれかに記載の発明において、前記杖先は、一本杖形態、多脚状形態、ロフストランド形態、折り畳み形態、松葉杖形態のいずれかの形態を構成する杖用として用いられることから、杖先の適用対象の多様化を図りつつ請求項１乃至３のいずれか１項に記載の発明の効果を発揮させることができる杖先を実現し提供することができる。
【００１８】
請求項５記載の発明によれば、上記効果を発揮する杖先を備えることから、杖先接地体を地面等に接触させた場合の衝撃吸収性に優れ接地感も良好であり、杖先接地体が石畳み等の隙間には嵌り込むこともなく、更に、接地面に傾きがあってもその傾きの影響を抑制することが可能であるという効果を発揮させることができ、また、杖全体の長短の調整可能で、高齢者等の歩行安定性を確保でき、高齢者等の歩行安定性を確保でき、リハビリテーション用としても好適であるという効果を奏する杖を実現し提供することができる。
【００１９】
請求項６記載の発明によれば、形態の多様化を図りつつ請求項５記載の発明と同様な効果を奏する杖を実現し提供することができる。
【００２０】
請求項７記載の発明によれば、請求項５又は６に記載の発明において、前記杖先保持体の各片の下端側と杖先接地体との間に介在させる座金は、その内周部に前記杖先接地体が緩み方向の変位に対して抵抗力を付与する傾斜形状の突片群を備えることから請求項５又は６に記載の発明と同様な効果を奏し、かつ、杖先接地体の緩み防止効果も発揮させることができる杖を実現し提供することができる。
【００２１】
請求項８記載の発明によれば、請求項５乃至７のいずれかに記載の発明において、前記装飾ストラップ、及び、前記上部棒状部の外周の装飾部は、サヤ型地に花唐草紋様、サヤ型地に花唐草紋様、鹿の子流水に小桜、波文に流水小桜、正絹錦松葉小紋、袴地縞等を施した京西陣、京友禅の着物の各生地から選定される生地を用いて形成しているので、請求項５乃至７のいずれか１項に記載の発明と同様な効果を奏し、かつ、使用者は使用に際して優雅性、特異性を味わうことができる杖を実現し提供することができる。
【００２２】
請求項９記載の発明によれば、請求項５乃至８のいずれかに記載の発明において、前記杖本体は、一本杖形態、多脚状形態、ロフストランド形態、折り畳み形態、松葉杖形態のいずれかの形態からなるものであるから、適用対象の多様化を図りつつ請求項５乃至８のいずれか１項に記載の発明の効果を発揮させることができる杖を実現し提供することができる。
【図面の簡単な説明】
【００２３】
【図１】図１は本発明の実施例１に係る杖先を備える杖の全体構成を示す正面図である。
【図２】図２は本実施例１に係る杖先の概略斜視図である。
【図３】図３は本実施例１に係る杖先における一つの杖先保持体、座金、杖先接地体の分解斜視図である。
【図４】図４は本実施例１に係る杖先における一つの杖先保持体、座金、杖先接地体の組み立て状態を示す部分正面図である。
【図５】図５は本実施例１に係る杖先における座金の突片の杖先接地体の緩み方向に対する抵抗力付与状態を示す説明図である。
【図６】図６は本発明の実施例２に係る杖の全長の調整状態を示す説明図である。
【図７】図７は本実施例２に係る杖における花唐草紋様を外周に施した上部棒状体の部分拡大斜視図である。
【図８】図８は本実施例２に係る杖における上部棒状体に施した花唐草紋様を展開状態で示す部分拡大説明図である。
【図９】図９は本実施例２に係る杖における上部棒状体に施した５個の紋様の例を展開状態で示す部分拡大説明図である。
【発明を実施するための形態】
【００２４】
本発明は、杖先接地体が緩みにくいとともに、杖の使用者の使用状況、使用状態に対応、例えば、杖使用者に障害がある場合にはその障害状態に応じて、更には杖使用者が怪我をしているような場合には怪我の状態に応じて、適時に、硬・軟材でもって形成され或いは大・小サイズに形成された各杖先接地体を自在に取り替えて柔軟に対応して使用でき安定感のある使用状態を得られるとともに、杖先の接地体が緩みにくく、滑りにくく、接地体が地面等に接触させた場合の衝撃吸収性に優れ接地感も良好で、杖先部分が石畳み等の隙間には嵌り込むこともなく、また、接地面に傾きがあってもその傾きの影響を抑制することが可能な杖先を具備し、杖全体の長短の調整可能で、更に、使用に際して格別の優雅性、特異性を味わうことが可能で、高齢者等の歩行安定性を確保でき、リハビリテーション用としても好適である杖、及びその杖先を実現し提供するという目的を、杖本体に取り付けられるとともに、中心部から外方に向かって放射分散形態の各片を具備する杖先保持体と、前記杖先保持体の各片の下端側に各々座金を介在させネジ結合により着脱可能に装着した硬度材・軟度材の弾性体仕様の各種組み合わせ或いは大・小の各種組み合わせからなる複数個構成で接地面に当接させる杖先接地体と、を有し、前記杖先保持体の各片の下端側と杖先接地体との間に介在させる座金は、その内周部に前記杖先接地体が緩み方向の変位に対して抵抗力を付与する傾斜形状の突片群を備える構成により実現した。
【実施例】
【００２５】
以下、図面を参照して、本発明の実施例に係る杖について詳細に説明する。
【００２６】
（実施例１）
本実施例に係る杖先２１を備える杖１は、図１に示すように、上端部に握り部３を配置し、上部側に装飾ストラップ４を取り付けるとともに、長さ方向外周全体に装飾部５ａを具備する内部が空洞の、すなわち、円筒状の上部棒状体５と、前記上部棒状部５に対して上端側を着脱可能に、かつ、長短調整可能に装着し一体化される下部棒状体６と、を具備する杖本体２と、前記下部棒状体６の下端側に固着した中心部から外方に向かって放射分散形態の各片８（本実施例では例えば６個）を具備する杖先２１を構成する杖先保持体７と、前記杖先保持体７の各片８の下端側に各々座金９を介在させネジ結合により着脱可能に装着した硬度材・軟度材の弾性体仕様の各種組み合わせ或いは大・小の各種組み合わせからなる複数個（本実施例では例えば６個）構成で接地面に当接させる杖先２１を構成する杖先接地体１０と、を有している。
【００２７】
ここで、前記杖先２１について図２乃至図５を参照して詳述する。
【００２８】
前記杖先２１は、上述したように杖先保持体７と杖先接地体１０とを有している。
【００２９】
前記杖先保持体７の各片８は、上述した場合の他、例えば、３片以上、４片、５片、８片等の構成を採用することができ、各片８の数は特に限定するものではない。また、前記杖先接地体１０は、前記杖先保持体７の各片８の個数に対応する個数とすることは勿論である。
前記杖先接地体１０は、図２に示すように、例えばゴム材からなる弾性体を用いて上部が円柱状で下部が円形吸盤形態の構成としている。
また、本実施例１においては、前記杖先接地体１０は、図２に示すように、一例として例えば硬質の弾性体仕様としたものを３個、軟質の弾性体仕様（同図において薄墨で示す）としたものを３個、合計６個の構成としている。
【００３０】
本実施例１において、合計６個の杖先接地体１０の硬・軟材或いは大・小の組み合わせは、特に限定するものではなく、後述する杖先接地体１０の前記杖先保持体７の片８に対する取り付け構造から明らかなように、使用者の脚力、握力等に応じ任意の組み合わせを採用し、使用者の好みに柔軟に対応できる。
【００３１】
例えば、６個すべてを硬質のものとしたり、６個すべてを軟質のものとしたり、硬質のもの２個と軟質のもの４個との組み合わせとしたり、硬質のもの４個と軟質のもの２個との組み合わせとしたり等、種々の組み合わせ形態を採用することが可能である。
【００３２】
次に、前記杖先接地体１０の前記杖先保持体７の片８に対する取り付け構造について図３乃至図５を参照して説明する。
【００３３】
前記杖先接地体１０の円柱部分の中央部には、有底の円形孔１１が穿設され、この円形孔１１の中心部にネジ〈雄ネジ〉１２を上方に向けて起立配置している。前記ネジ１２の上端は前記杖先接地体１０の円柱部分の上端面と面一にしている。
【００３４】
一方、前記杖先保持体７の片８の下端面には、前記円形孔１１内に嵌入可能な外周を有し、かつ、内部に前記ネジ１２が螺合する雌ネジ１４を設けたネジ筒１３を下方に向けて突設している。
【００３５】
そして、図３、図４に示すように、前記ネジ筒１３の外周に座金９（実施例ではステンレス材から形成）を嵌着しつつ前記杖先接地体１０のネジ１２を前記ネジ筒１３内の雌ネジ１４に螺合しつつ図３に示す締め付け方向に前記杖先接地体１０を回転操作することで、前記杖先接地体１０を杖先保持体７の片８の下部に座金９を介在しつつ着脱可能に締め付け固定することができる。
【００３６】
前記座金９は、図３、図５に示すように、その内周側には前記杖先接地体１０の緩み方向の変位に対して抵抗力を付与する傾斜形状の突片群、本実施例では９個の突片９ａを一定の間隔配置で具備している。
【００３７】
すなわち、前記座金９の突片９ａは、図５に拡大して示すように、前記座金９自体の内周部から中心方向に向けて、かつ、図５において左側の突片先端縁部９ｂ側が低く、反対側の突片先端縁部９ｃ側が高い傾斜状で捻じり形状の形態で突設されている。
【００３８】
これにより、前記杖先接地体１０が同図において矢印で示す緩み方向に変位しようとする場合、左側の突片先端縁部９ｂが前記杖先接地体１０の上面に摩擦力を及ぼし、すなわち、前記杖先接地体１０が緩み方向の変位に対して抵抗力を付与して、この結果、前記杖先接地体１０に対して緩み止め防止効果を与えるようになっている。
【００３９】
本実施例１の杖先２１は、図１に示す杖１用として用いる他、図示しないが、多脚状形態、ロフストランド形態、折り畳み形態、松葉杖形態のいずれかの形態を構成する杖用として使用することが可能である。
【００４０】
（実施例２）
次に、図１及び図６乃至図９を参照して、本発明の実施例２に係る杖１について説明する。
【００４１】
本実施例２に係る杖１において、実施例１場合の場合と同一の要素には同一の符号を付してその詳細な説明は省略する。
【００４２】
図６に示す本実施例２に係る杖１は、図１に示す杖１と同様な構成であるが、杖本体２の前記上部棒状部５に対して下部棒状体６の上端側を着脱可能に、かつ、長短に調整可能に構成したこと、上部棒状部５の長さ方向外周全体に装飾部５ａを具備する構成したことに特徴を有するものである。
【００４３】
すなわち、前記上部棒状部５には、その長さ方向に一定の間隔を有しつつ複数の穴１５を設けている。
【００４４】
一方、前記下部棒状体６には、その外周の一部に内装したバネにより外方―の付勢力をさせた出没突起１６を配置している。
【００４５】
そして、前記下部棒状体６の上部側を前記上部棒状部５の下部側から前記出没突起１６を前記下部棒状体６の壁面内に没入させつつ挿入し、前記上部棒状部５に設けた複数の穴１５のうち所望の穴１５の位置で前記出没突起１６を当該穴１５内に係合させることで、前記下部棒状体６と前記上部棒状部５との全長、従って、前記杖１の全長を長短に調整可能としている。
【００４６】
なお、図１に示す杖１の場合にはその全長を最も大きくした態様を示している。
【００４７】
このような構成により、本実施例２に係る杖１を使用者の伸長の大小に対応して長短に調整することができ、多くの使用者の利便性に応えることができる。
【００４８】
次に、前記装飾部５ａについて図７乃至図９を参照して説明する。
【００４９】
本実施例２に係る杖１においては、前記上部棒状部５の外周部の装飾部５ａとして、図７及び展開状態とした図８に示すように、サヤ型地に花唐草紋様（白・銀）からなる紋様を施した形態としている。
【００５０】
前記装飾部５ａとしては、図９（ａ）に示すサヤ型地に花唐草紋様（黒・銀）、図９（ｂ）に示す鹿の子流水に小桜、図９（ｃ）に示す波文に流水小桜、図９（ｄ）に示す正絹錦松葉小紋、図９（ｅ）に示す袴地縞等のような各種紋様を施した形態とすることもできる。
【００５１】
この他、図示しない家紋や各種幾何学模様等を施した形態とすることもでき、特に限定するものではない。
【００５２】
このような構成により、本実施例２に係る杖１の使用者は、前記装飾部５ａの装飾効果によってこの杖１の使用に際して格別の優雅性、特異性を味わうことが可能となる。
【００５３】
本実施例２の杖１は、図１に示す一本杖形態の他、図示しないが、多脚状形態、ロフストランド形態、折り畳み形態、松葉杖形態のいずれかの形態の杖としても応用可能である。
【００５４】
以上説明した本実施例１によれば、杖１の使用者の使用状況、使用状態に対応、例えば、杖使用者に障害がある場合にはその障害状態に応じて、更には杖使用者が怪我をしているような場合には怪我の状態に応じて、例えば、複数の杖先接地体１０の内、強く力・押圧が加わるような部位の杖先部分を硬質材からなる杖先接地体１０に取り替え、また、弱い力・押圧しか加わらないような部位における杖先接地体１０の部分は柔軟材からなる杖先接地体１０に取り替えたりして、適時に、硬・軟材からなる各杖先接地体１０、或いは大きなサイズに形成した杖先接地体１０・小サイズに形成した杖先接地体１０を自在に取り替えて柔軟に対応して使用でき安定感のある使用状態を得られるとともに、杖先接地体１０が緩みにくく、滑りにくく、杖先接地体１０が地面等に接触させた場合の衝撃吸収性に優れ接地感も良好で、杖先部分が石畳み等の隙間には嵌り込むこともなく、また、接地面に傾きがあってもその傾きの影響を抑制することが可能で、高齢者等の歩行安定性を確保でき、リハビリテーション用としても好適であるという効果を発揮させることができる。
【００５５】
また、本実施例２の杖１によれば、上記効果を発揮する杖先２１を備えることから、上記したように、杖先接地体１０が緩みにくいとともに、杖先接地体１０を地面等に接触させた場合の衝撃吸収性に優れ接地感も良好であり、杖先接地体１０が石畳み等の隙間には嵌り込むこともなく、更に、接地面に傾きがあってもその傾きの影響を抑制することが可能であるという効果を発揮させることができ、更には、使用者の伸長の大小に柔軟に対応して使用でき、使用に際して格別の優雅性、特異性を味わうことが可能であるという効果を奏する。
【産業上の利用可能性】
【００５６】
本発明に係る新規な杖先は、一本杖、多脚杖、ロフストランド杖、松葉杖、折り畳み杖等、各種形態の杖先として広範に適用可能である。
【符号の説明】
【００５７】
１    杖
２    杖本体
４    装飾ストラップ
５    上部棒状体
５    上部棒状部
５ａ  装飾部
６    部棒状体
７    杖先保持体
８    片
９    座金
９ａ  突片
９ｂ  突片先端縁部
９ｃ  突片先端縁部
１０    杖先接地体
１１    円形孔
１２    ネジ
１３    ジ筒
１４    雌ネジ
１５    穴
１６    出没突起
２１    杖先
【図１】
2019071982.tif 000003
【図２】
2019071982.tif 000004
【図３】
2019071982.tif 000005
【図４】
2019071982.tif 000006
【図５】
2019071982.tif 000007
【図６】
2019071982.tif 000008
【図７】
2019071982.tif 000009
【図８】
2019071982.tif 000010
【図９】
2019071982.tif 000011